(57)【要約】【課題】球受皿と隣接する部位に押しボタンまたは灰皿が設けられるようにし、遊技場の要望や用途、或いは遊技機の仕様に応じて使い分けられるパチンコ遊技機を提供する。【解決手段】前面下部板６に球受皿７が設けられたパチンコ遊技機において、該前面下部板の球受皿と隣接する部位に空隙１１を設け、該空隙の内壁面に位置決孔１３を形成する一方、同一幅，同一奥行きなるように成形された押しボタンスイッチケース１０および灰皿ケース１２の側壁に前記位置決孔に嵌合する突起１４を夫々形成することで該押しボタンスイッチケースまたは灰皿ケースを択一的に該空隙に収容し得るようにし、該押しボタンスイッチケースまたは灰皿ケースを前面下部板の内側からビス１７により止着する。【選択図】　図４
2004081602.tif 000002
【特許請求の範囲】
【請求項１】
前面下部板に空隙を設け、該空隙に押しボタンスイッチケースまたは灰皿ケースが択一的に収容され固定してなることを特徴とするパチンコ遊技機。
【請求項２】
前面下部板に球受皿が設けられたパチンコ遊技機において、該前面下部板の球受皿と隣接する部位に空隙を設け、該空隙の内壁面に位置決孔を形成する一方、同一幅，同一奥行きなるように成形された押しボタンスイッチケースおよび灰皿ケースの側壁に前記位置決孔に嵌合する突起を夫々形成することで該押しボタンスイッチケースまたは灰皿ケースを択一的に該空隙に収容し得るようにし、該押しボタンスイッチケースまたは灰皿ケースを前面下部板の内側からビス止してなることを特徴としたパチンコ遊技機。
【発明の詳細な説明】
【０００１】
【発明の属する技術分野】
本発明は、要望や用途、或いは遊技機の仕様に応じて、押しボタンまたは灰皿が前面に設けられるようにしたパチンコ遊技機に関するものである。
【０００２】
【従来の技術】
パチンコ遊技機では旧来より喫煙者が使用する灰皿を前面下部の球受皿の隣に設けている。しかし喫煙者の減少や遊技場に禁煙コーナーが設けられる昨今の事情から灰皿が不要となる場合も多い。
一方、パチンコの遊技方法は旧来の打球を弾くだけのものから、何らかのチャンスタイムに押しボタンを操作することで遊技に多様性を持たせる傾向に変化してきている。
【０００３】
【発明が解決しようとする課題】
そこで本発明は、球受皿と隣接する部位に押しボタンまたは灰皿が設けられるようにし、上記のような要望や用途、或いは遊技機の仕様に応じたものとなり得るパチンコ遊技機を提供するものである。
【０００４】
【課題を解決するための手段】
そのために本発明に係るパチンコ遊技機は、前面下部板に空隙を設け、該空隙に押しボタンスイッチケースまたは灰皿ケースが択一的に収容され固定してなることを特徴とする。
また、本発明に係るパチンコ遊技機は、前面下部板に球受皿が設けられたパチンコ遊技機において、該前面下部板の球受皿と隣接する部位に空隙を設け、該空隙の内壁面に位置決孔を形成する一方、同一幅，同一奥行きなるように成形された押しボタンスイッチケースおよび灰皿ケースの側壁に前記位置決孔に嵌合する突起を夫々形成することで該押しボタンスイッチケースまたは灰皿ケースを択一的に該空隙に収容し得るようにし、該押しボタンスイッチケースまたは灰皿ケースを前面下部板の内側からビス止してなることを特徴とする。
【０００５】
【発明の実施の形態】
次に本発明の実施の形態を図面に基づき説明する。図１は本発明が適用されるパチンコ遊技機の正面図、図２はその要部の斜視図であり、１は窓孔２に遊技盤３が配設されたガラス扉枠、４は該ガラス扉枠の下に設けられ前面に発射用のパチンコ球を供給する球受皿（上皿）５が形成された前面下部板、６は該前面下部板のさらに下部に設けられ前面に該球受皿５から溢れたパチンコ球が貯留される球受皿（下皿）７が設けられ右端部には打球発射操作ハンドル８が設けられた前面下部板である。なお、ガラス扉枠１の表面は火山の噴火口を想起させる凹凸状の意匠が施されている。
【０００６】
なお、図１，図２は上記球受皿（下皿）７の隣に押しボタンスイッチケース１０がセットされている状況を示す。即ち、前面下部板６はプラスチックにより球受皿７が一体に成形され、図４に示したように、該球受皿７に隣接する空隙１１が設けられ、該空隙に同一幅，同一奥行きなるように成形された押しボタンスイッチケース１０または灰皿ケース１２を択一的に収容し得るようにしている。該空隙１１の相対する内壁面には位置決孔１３が形成され、該押しボタンスイッチケースおよび灰皿ケースの側壁に該位置決孔１３に嵌合する突起１４が夫々形成されている。
【０００７】
そして、図３および図５に取付状態の縦断面図を夫々示したように、１５は押しボタンスイッチケース１０および灰皿ケース１２の内壁面に後方に向けて水平に突設されたボスで、該ボスは前面下部板６より空隙１１中に水平に突設された小筒体部１６と対峙し、該小筒体部１６中に挿入したビス１７を該ボス１５の先端に螺締することにより該押しボタンスイッチケースまたは灰皿ケースを前面下部板の内側からビス止し得る。また、押しボタンスイッチケースまたは灰皿ケースの底板部１８は後方に張り出していてその先端縁に形成された爪部１９が空隙１１の奥部壁に係合し底部を隙間無く被い得るようにしている。なお、９は前面下部板６の背面に止着された金属製の剛性板である。
【０００８】
上記押しボタンスイッチケース１０は、上面に円形の押しボタン２０がバネの弾性により支持されて出没自在に設けられ、該押しボタン２０が手で押し下げられると内部に設けられた光センサがその状態を検出することにより操作信号がコネクタ２１を介して遊技機本体に伝達され、それによって例えば図柄変動表示等の遊技の進行が変化するようにしている。
【０００９】
また、灰皿ケース１２は、図４，図５に示したように、上面に吸殻が入る凹部２２が形成され、その前縁にタバコを保持し得る半円溝２３が形成された耐熱性の灰皿２４を設けたものである。
【００１０】
このように構成したパチンコ遊技機では、空隙１１に押しボタンスイッチケース１０を収容しビス１７を螺締することにより、図２に示したように、押しボタン２０を遊技中に左手で最も押操作し易い位置に配置することができる。また、押しボタン２０を要しない機種にあっては、図５に示したように、遊技中の喫煙に便利なようにこの位置に灰皿２４を設けることができ、遊技場の要望や用途に応じた設定が可能となる。
【００１１】
なおこの実施形態では、空隙１１の内壁面に位置決孔１３を形成し、押しボタンスイッチケース１０および灰皿ケース１２の側壁に突起１４を夫々形成したが、空隙１１の内壁面に突起を形成し、押しボタンスイッチケースおよび灰皿ケースの側壁に該突起に嵌合する位置決孔を形成してもよい。
またこの実施形態では、押しボタンスイッチケース１０と灰皿ケース１２とを別形状に形成したが、押しボタンスイッチケース１０における押しボタン２０を除去してできる円形開口、或いはその他の形状の開口に該押しボタンに代えて灰皿がセットされるようにしてもよい。
【００１２】
【発明の効果】
このように本発明に係るパチンコ遊技機は、前面下部板に空隙を設け、該空隙に押しボタンスイッチケースまたは灰皿ケースが択一的に収容され固定してなるので、押しボタンまたは灰皿を遊技者が最も使い易い位置に配置することができ、押しボタン操作を必要とする新しいタイプの遊技機に対処できるとともに、禁煙コーナーを設けるなど灰皿の要不要に従って容易に仕様変更できるなど遊技場の要望や用途に応じフレキシブルに対応でき製造コストも結果的に軽減されるなど有益な効果がある。
【図面の簡単な説明】
【図１】本発明の実施形態を示したパチンコ遊技機の正面図。
【図２】図１のパチンコ遊技機の要部の斜視図。
【図３】図１のパチンコ遊技機の要部の縦断面図。
【図４】図１のパチンコ遊技機の分解斜視図。
【図５】本発明に係るパチンコ遊技機に灰皿ケースを設けたときの縦断面図。
【符号の説明】
６　　　前面下部板
７　　　球受皿
１０　　押しボタンスイッチケース
１１　　空隙
１２　　灰皿ケース
１３　　位置決孔
１４　　突起
１７　　ビス
【図１】
2004081602.tif 000003
【図２】
2004081602.tif 000004
【図３】
2004081602.tif 000005
【図４】
2004081602.tif 000006
【図５】
2004081602.tif 000007